(57)【特許請求の範囲】
【請求項１】
部屋の天井を構成する天井パネルであって、
主開口を有する外縁部と、
前記主開口を封止するよう、少なくとも部分的に主開口に上方から嵌め込まれる主蓋部と
を備え、
前記主開口と主蓋部との嵌め込み部分に主蓋部の落下を防止する支持構造を有し、
前記主蓋部が、下面に突設され、前記主開口の周縁部分と前記主蓋部の外縁部分との位置ずれを防止する凸部を有し、
前記支持構造が、前記主開口に嵌め込まれる前記凸部と、前記天井パネルの上面に載置される前記主蓋部の外縁部分の下面とを含むことを特徴とする天井パネル。
【請求項２】
部屋の天井を構成する天井パネルであって、
主開口を有する外縁部と、
前記主開口を封止するよう、少なくとも部分的に主開口に上方から嵌め込まれる主蓋部と
を備え、
前記主開口と主蓋部との嵌め込み部分に前記主蓋部の落下を防止する支持構造を有し、
前記支持構造が、前記主開口の内縁のうち、対向する２辺のみに形成され、前記主開口の内縁にフランジ部を有し、このフランジ部に主蓋部を載置する平受支持構造であることを特徴とする天井パネル。
【請求項３】
部屋の天井を構成する天井パネルであって、
主開口を有する外縁部と、
前記主開口を封止するよう、少なくとも部分的に主開口に上方から嵌め込まれる主蓋部と
を備え、
前記主開口と主蓋部との嵌め込み部分に前記主蓋部の落下を防止する支持構造を有し、
前記支持構造が、前記主開口の内縁のうち、対向する２辺のみに形成され、前記主開口の内縁に上方に拡径する支持テーパ面を有し、前記主蓋部外縁に上方に拡径する対合テーパ面を有する勾配受支持構造であることを特徴とする天井パネル。
【請求項４】
部屋の天井を構成する天井パネルであって、
主開口を有する外縁部と、
前記主開口を封止するよう、少なくとも部分的に主開口に上方から嵌め込まれる主蓋部と
を備え、
前記主開口と主蓋部との嵌め込み部分に前記主蓋部の落下を防止する支持構造を有し、
前記支持構造が、前記外縁部と前記主蓋部との間に介在して前記主蓋部を支持する支持部材であり、
前記支持部材が、前記外縁部の主開口における周縁部の上面に載置される載置部と、前記主蓋部の周縁部を下側から支持する支持部と、前記主開口の内周面と前記主蓋部の外周面との間に配置され、前記載置部及び支持部を接続する接続部とからなることを特徴とする天井パネル。
【請求項５】
前記支持構造が、前記外縁部と前記主蓋部との間を封止するパッキンを含む請求項１から請求項４のいずれか１項に記載の天井パネル。
【請求項６】
部屋の天井を構成する天井パネルであって、
主開口を有する外縁部と、
前記主開口を封止するよう、少なくとも部分的に主開口に上方から嵌め込まれる主蓋部と
を備え、
前記主蓋部が、
内方に配設される副開口と、
前記副開口を封止するよう、少なくとも部分的に前記副開口に上方から嵌め込まれる副蓋部と
を有し、
前記副開口と副蓋部との嵌め込み部分に前記副蓋部の落下を防止する支持構造を有する天井パネル。
【請求項７】
前記外縁部及び前記主蓋部が吸音材を含む請求項１から請求項６のいずれか１項に記載された天井パネル。
【請求項８】
防音室用の天井パネルである請求項１から請求項７のいずれか１項に記載された天井パネル。
【請求項９】
請求項１から請求項８のいずれか１項に記載の天井パネルと、複数の壁パネルとを含む
組立式防音室。
【発明の詳細な説明】
【技術分野】
【０００１】
本発明は、天井パネル及び組立式防音室に関する。
【背景技術】
【０００２】
防音機能を有しない既存の建物の内部に組立式防音室を設置して、例えば楽器演奏、カラオケ歌唱、映画鑑賞等を可能にしたいとの需要がある。例えば特開２００８−２６７１１４号公報には、業者以外の個人等のエンドユーザーが設置することができる防音室として、遮音パネルを壁材とする組立式防音室が提案されている。
【０００３】
一般的に、パネルの遮音性能を高めるためには質量を大きくする必要があることが「質量則」として知られている。具体的には、垂直入射条件での単層壁における音波の透過損失ＴＬ０［ｄＢ］は、音波の周波数ｆ［Ｈｚ］と単層壁の面密度ｍ［ｋｇ／ｍ２］とを用いて、次の式（１）によって表すことができる。
ＴＬ０≒２０・ｌｏｇ（ｆ・ｍ）−４２．５  ・・・（１）
【０００４】
ところが、前記公報に記載の防音室では、天井を１枚の遮音パネルで構成しているため、透過損失ＴＬ０を比較的大きくする必要がある防音室用の天井パネルは、かなりの重さを有するものとなる。従って、天井パネルの取り付けは、不慣れなエンドユーザーにとってはかなりの重労働であり、決して容易な作業ではない。また、重量を有する天井パネルを取り付ける際に誤って天井パネルを落下させると作業者が怪我をする危険性もある。
【先行技術文献】
【特許文献】
【０００５】
【特許文献１】特開２００８−２６７１１４号公報
【発明の概要】
【発明が解決しようとする課題】
【０００６】
前記不都合に鑑みて、本発明は、取り付け作業が比較的容易な天井パネル及び組立が比較的容易な組立式防音室を提供することを課題とする。
【課題を解決するための手段】
【０００７】
前記課題を解決するためになされた発明は、部屋の天井を構成する天井パネルであって、主開口を有する外縁部と、前記主開口を封止するよう、少なくとも部分的に主開口に上方から嵌め込まれる主蓋部とを備え、前記主開口と主蓋部との嵌め込み部分に主蓋部の落下を防止する支持構造を有することを特徴とする天井パネル。
【０００８】
当該天井パネルは、外縁部と主蓋部とに分割可能であるため、外縁部及び主蓋部が分割されない一枚板の天井パネルと比べて軽量であり、これらを持ち上げることが容易であるため、頭上の取り付け位置に比較的簡単に配置することができるので、天井の取り付け作業が比較的容易である。
【０００９】
前記支持構造が、前記主開口の内縁にフランジ部を有し、このフランジ部に主蓋部を載置する平受支持構造であるとよい。
【００１０】
前記支持構造が、前記主開口の内縁に上方に拡径する支持テーパ面を有し、前記主蓋部外縁に上方に拡径する対合テーパ面を有する勾配受支持構造であってもよい。
【００１１】
前記主蓋部が、内方に配設される副開口と、前記副開口を封止するよう、少なくとも部分的に副開口に上方から嵌め込まれる副蓋部とを有し、前記副開口と副蓋部との嵌め込み部分に副蓋部の落下を防止する支持構造を有するとよい。
【００１２】
前記課題を解決するためになされた別の発明は、当該天井パネルと、複数の壁パネルとを含む組立式防音室である。
【発明の効果】
【００１３】
本発明に係る天井パネル及び組立式防音室は、天井の取り付け作業が比較的容易である。また、本発明に係る組立式防音室は、組立が比較的容易である。
【図面の簡単な説明】
【００１４】
【図１】本発明の一実施形態の組立式防音室を示す模式的分解斜視図である。
【図２】図１の天井パネルの模式的分解斜視図である。
【図３】図２の天井パネルの模式的断面図である。
【図４】本発明の図２とは異なる実施形態の天井パネルの模式的分解斜視図である。
【図５】本発明の図２及び図４とは異なる実施形態の天井パネルの模式的分解斜視図である。
【図６】本発明の図２、図４及び図５とは異なる実施形態の天井パネルの模式的断面図である。
【図７】本発明の図２、図４乃至図６とは異なる実施形態の天井パネルの模式的断面図である。
【図８】本発明の図２、図４乃至図７とは異なる実施形態の天井パネルの模式的断面図である。
【図９】本発明の図２、図４乃至図８とは異なる実施形態の天井パネルの模式的断面図である。
【図１０】本発明の図２、図４乃至図９とは異なる実施形態の天井パネルの模式的断面図である。
【発明を実施するための形態】
【００１５】
以下、適宜図面を参照しつつ、本発明の実施の形態を詳説する。
【００１６】
［第一実施形態］
図１に、本発明の一つの実施形態に係る組立式防音室の構成を示す。
【００１７】
図１の組立式防音室は、複数のパネルを箱状に組み立てて構成される。具体的には、当該組立式防音室は、部屋の天井を構成する１又は複数（図示する例では２枚）の天井パネル１と、部屋の周壁を構成する複数の壁パネル２と、部屋の床面を構成する１又は複数（図示する例では２枚）の床パネル３とを備える。
【００１８】
〔天井パネル〕
天井パネル１は、それ自体が本発明の一つの実施形態である。当該天井パネル１は、図２に詳しく示すように、外縁部４と主蓋部５とを備える。外縁部４は、平面視方形状の主開口６を有する。主蓋部５は、主開口６を封止するよう、主開口６に上方から、外縁部４と面一になるよう嵌め込まれる。また、天井パネル１は、主開口６と主蓋部５との嵌め込み部分に主蓋部５の落下を防止する支持構造７を有する。
【００１９】
天井パネル１の外縁部４及び主蓋部５は、図３に示すように、平面形状の輪郭に沿って存在する枠体を形成する骨材８と、この骨材８が形成する枠体を挟み込むよう表裏に配設される一対の面板９と、骨材８及び面板９に囲まれるスペースに充填される吸音材１０とを備えるものとすることができる。
【００２０】
天井パネル１における主開口６の平面視での面積率の下限としては、２０％が好ましく、３０％がより好ましく、４０％が特に好ましい。一方、天井パネル１における主開口６の面積率の上限としては、８０％が好ましく、７０％がより好ましく、６０％が特に好ましい。天井パネル１における主開口６の面積率が前記下限に満たない場合、外縁部４の重量が大きくなりすぎるおそれがある。逆に、天井パネル１における主開口６の面積率が前記上限を超える場合、主蓋部５の重量が大きくなりすぎるおそれがある。
【００２１】
＜骨材＞
前記骨材８としては、例えば棒材、角パイプ、リップ溝形材（Ｃ形チャンネル）等を用いることができ、また、例えば等断面の押出材、長尺のプレス材等を用いてもよい。また、このような骨材８の材質としては、例えば樹脂、木、鋼、ステンレス鋼、アルミニウム等を挙げることができる。
【００２２】
＜面板＞
前記面板９としては、例えば鋼板、アルミニウム板、石膏ボード、ケイ酸カルシウム板、合板、ＭＤＦ（中密度繊維板：ｍｅｄｉｕｍ  ｄｅｎｓｉｔｙ  ｆｉｂｅｒｂｏａｒｄ）、パーティクルボード等を用いることができる。
【００２３】
＜吸音材＞
前記吸音材１０としては、例えばグラスウール、ロックウール、セラミックウール等を用いることができる。
【００２４】
また、天井パネル１は、主開口６と主蓋部５との嵌め込み構造の少なくとも一部に、主蓋部５の落下を防止する支持構造７を有する。
【００２５】
＜支持構造＞
本実施形態の支持構造７は、主開口６の内縁に内側に突出するよう形成され、上面が平面状である支持フランジ部１１と、主蓋部５の外縁に外側に突出するよう形成され、平面状の下面が支持フランジ部１１の上面に載置される載置フランジ部１２とを有する平受支持構造である。
【００２６】
支持フランジ部１１及び載置フランジ部１２は、骨材８の断面形状を階段状とすることによって形成することが好ましい。
【００２７】
支持フランジ部１１及び載置フランジ部１２の平均突出長さの下限としては、１ｃｍが好ましく、２ｃｍがより好ましい。一方、支持フランジ部１１及び載置フランジ部１２の平均突出長さの上限としては、１０ｃｍが好ましく、８ｃｍがより好ましい。支持フランジ部１１及び載置フランジ部１２の平均突出長さが前記下限に満たない場合、主蓋部５の支持が不確実となるおそれがある。逆に、支持フランジ部１１及び載置フランジ部１２の平均突出長さが前記上限を超える場合、主蓋部５が不必要に大きくなって主開口６への嵌め込みが容易でなくなるおそれがある。
【００２８】
また、支持構造７は、図視するように、支持フランジ部１１と載置フランジ部１２との間を封止するパッキン１３を有してもよい。
【００２９】
（パッキン）
パッキン１３としては、例えばゴム、スポンジ等の弾性を有する材料が用いられる。
【００３０】
〔壁パネル及び床パネル〕
壁パネル２及び床パネル３としては、公知の遮音パネルを用いることができる。また、壁パネル２は、例えばドア、窓等を備えてもよい。
【００３１】
〔組立方法〕
当該組立式防音室は、先ず、床パネル３を水平になるよう並べて配置して床を形成し、次に、この床の周縁に壁パネル２を垂直に取り付けて周壁を構成する。そして、対向する壁パネル２の上縁間に掛け渡すよう外縁部４を取り付ける。その後、外縁部４の上側に主蓋部５を配置し、主開口６に位置合わせして嵌め込むことで天井パネル１を一体化して密閉された防音室を組み立てる。
【００３２】
〔利点〕
以上のように、当該天井パネル１は、先ず外縁部４だけを壁パネル２の上に取り付けてから、主蓋部５を主開口６に嵌め込むことで防音室の天井を封止するので、一度に持ち上げる必要のある部材の重量が比較的小さい。つまり、当該天井パネル１の外縁部４及び主蓋部５の重量は、従来の分割されない天井パネルの重量程には大きくないので、比較的簡単に持ち上げることができる。このため、当該天井パネル１は、取り付け作業が比較的容易である。従って、当該天井パネル１を用いる当該組立式防音室は、比較的容易に組み立てることができる。
【００３３】
また、当該天井パネル１は、構成が比較的簡素であるため、防音室の天井に梁を設けてこの梁に少なくとも一端を保持させるよう天井パネルを分割する場合と比べて、組立の工数が少なく、組立が容易であると共に、防音室の天井に隙間が形成されにくく、比較的容易に気密性や防音性を向上することができる。
【００３４】
［第二実施形態］
図４に、本発明の別の実施形態に係る天井パネル１ａを示す。図４の天井パネル１ａは、図２の天井パネル１に替えて、図１の組立式防音室の天井を構成するために使用される。このため、図４の天井パネル１ａについて、図２の天井パネル１と同じ構成要素には同じ符号を付して重複する説明を省略する。
【００３５】
当該天井パネル１ａは、外縁部４ａと主蓋部５ａとを備える。外縁部４ａは、平面視方形状の主開口６ａを有する。主蓋部５ａは、主開口６ａを封止するよう、主開口６ａに上方から嵌め込まれる。また、天井パネル１ａは、主開口６ａと主蓋部５ａとの嵌め込み部分に主蓋部５ａの落下を防止する支持構造７ａを有する。
【００３６】
＜支持構造＞
本実施形態の支持構造７ａは、主開口６ａの内縁のうちに対向する２辺の内側のみに突出するよう形成され、上面が平面状である１対の支持フランジ部１１ａと、主蓋部５ａの支持フランジ部１１ａに対応する２辺の外縁に外側に突出するよう形成され、平面状の下面が支持フランジ部１１ａの上面に載置される１対の載置フランジ部１２ａとを有する平受支持構造である。
【００３７】
〔利点〕
当該天井パネル１ａは、平面視方形状の主開口６ａ及び主蓋部５ａの対向する２辺に支持構造７ａが設けられていないので、主蓋部５ａの支持構造７ａが設けられていない方向の幅が主開口６ａの支持構造７ａが設けられていない方向の幅と略等しい。このため、主蓋部５ａは、支持構造７ａが設けられていない幅方向の軸を中心に傾斜させるようにして支持構造７ａを有する２辺の一方側から他方側へと主開口６ａを比較的容易に通過することができる。従って、当該天井パネル１ａは、主開口６ａに主蓋部５ａを嵌め込む作業を防音室の室内側から比較的容易に行うことができる。よって、当該天井パネル１ａは、より容易に組み立てることができる。
【００３８】
［第三実施形態］
図５に、本発明の別の実施形態に係る天井パネル１ｂを示す。図５の天井パネル１ｂは、図２の天井パネル１に替えて、図１の組立式防音室の天井を構成するために使用される。このため、図５の天井パネル１ｂについて、図２の天井パネル１と同じ構成要素には同じ符号を付して重複する説明を省略する。
【００３９】
当該天井パネル１ｂは、外縁部４ｂと主蓋部５ｂとを備える。外縁部４ｂは平面視円形状の主開口６ｂを有し、主蓋部５ｂは、主開口６ｂを封止するよう、主開口６ｂに上方から嵌め込まれる。また、天井パネル１ｂは、主開口６ｂと主蓋部５ｂとの嵌め込み部分に主蓋部５ｂの落下を防止する支持構造７ｂを有する。
【００４０】
＜支持構造＞
本実施形態の支持構造７ｂは、主開口６ｂの内縁全周に内側に突出するよう形成され、上面が平面状である支持フランジ部１１ｂと、主蓋部５ｂの外縁全周に外側に突出するよう形成され、平面状の下面が支持フランジ部１１ｂの上面に載置される載置フランジ部１２ｂとを有する平受支持構造である。
【００４１】
〔利点〕
当該天井パネル１ｂは、平面視円形状の主開口６ｂ及び主蓋部５ｂの全周に支持構造７ｂを設けたことにより、主蓋部５ｂの載置フランジ部１２の外径が主開口６ｂの支持フランジ部１１ｂの内径よりも大きい。従って、当該天井パネル１ｂでは、主蓋部５ｂがどのような向きにも主開口６ｂを通過することができないので、主蓋部５ｂを誤って防音室の室内に落下させる危険性がない。よって、当該天井パネル１ｂを用いることで当該組立式防音室の安全性を向上することができる。
【００４２】
［第四実施形態］
図６に、本発明の別の実施形態に係る天井パネル１ｃを示す。図６の天井パネル１ｃは、図２の天井パネル１に替えて、図１の組立式防音室の天井を構成するために使用される。このため、図６の天井パネル１ｃについて、図２の天井パネル１と同じ構成要素には同じ符号を付して重複する説明を省略する。
【００４３】
当該天井パネル１ｃは、外縁部４ｃと主蓋部５ｃとを備える。外縁部４ｃは主開口６ｃを有し、主蓋部５ｃは主開口６ｃを封止するよう主開口６ｃに上方から嵌め込まれる。また、天井パネル１ｃは、主開口６ｃと主蓋部５ｃとの嵌め込み部分に主蓋部５ｃの落下を防止する支持構造７ｃを有する。
【００４４】
当該天井パネル１ｃは、１枚の板材から形成されている。このような板材としては、無垢木板、合板、ＭＤＦ、パーティクルボード等を用いることができる。
【００４５】
＜支持構造＞
本実施形態の支持構造７ｃは、主開口６ｃの内縁の全周に上方に拡径する支持テーパ面１４を有し、主蓋部５ｃの外縁に下方に拡径する対合テーパ面１５を有する勾配受支持構造である。
【００４６】
これらのテーパ面１４，１５の当該天井パネルの法線方向に対する平均傾斜角度の下限としては、１０度が好ましく、１５度がより好ましい。一方、テーパ面１４，１５の当該天井パネルの法線方向に対する平均傾斜角度の上限としては、６０度が好ましく、５０度がより好ましい。テーパ面１４，１５の当該天井パネルの法線方向に対する平均傾斜角度が前記下限に満たない場合、主蓋部５ｃの支持が不確実となるおそれがある。逆に、テーパ面１４，１５の当該天井パネルの法線方向に対する平均傾斜角度が前記上限を超える場合、主蓋部５ａを外縁部４ｃと平行に嵌め込むことが容易でなくなるおそれがある。
【００４７】
〔利点〕
当該天井パネル１ｃは、支持構造７ｃとしてテーパ面１４，１５を有するので、支持構造の形状が比較的簡素であり、支持構造７ｃの強度を確保しやすい。
【００４８】
［第五実施形態］
図７に、本発明の別の実施形態に係る天井パネル１ｄを示す。図７の天井パネル１ｄは、図２の天井パネル１に替えて、図１の組立式防音室の天井を構成するために使用される。このため、図７の天井パネル１ｄについて、図２の天井パネル１と同じ構成要素には同じ符号を付して重複する説明を省略する。
【００４９】
当該天井パネル１ｄは、外縁部４ｄと主蓋部５ｄとを備える。外縁部４ｄは主開口６ｄを有し、主蓋部５ｄは主開口６ｄを封止するよう部分的に主開口６ｄに上方から嵌め込まれる。より詳しくは、蓋部５ｄは、厚さ方向下側部分が主開口６ｄ内に嵌め込まれる。また、天井パネル１ｄは、主開口６ｄと主蓋部５ｄとの嵌め込み部分に主蓋部５ｄの落下を防止する支持構造７ｄを有する。
【００５０】
＜支持構造＞
本実施形態の支持構造７ｄは、主開口６ｄの内縁に内側に突出するよう形成され、上面が平面状である支持フランジ部１１ｄと、主蓋部５ｄの外縁に外側に突出するよう形成され、平面状の下面が支持フランジ部１１ｄの上面に載置される載置フランジ部１２ｄとを有する平受支持構造である。
【００５１】
本実施形態における支持構造７ｄは、支持フランジ部１１ｄと載置フランジ部１２ｄとの合計厚さが、外縁部４ｄの厚さ及び主蓋部５ｄの厚さよりも大きくなっている。このため、当該天井パネル１ｄは、主蓋部５ｄは、下側部分だけが主開口６ｄに嵌め込まれ、上側部分が主開口６ｄの上方に突出した状態で保持される。
【００５２】
〔利点〕
当該天井パネル１ｄは、支持フランジ部１１ｄ及び載置フランジ部１２ｄの厚さが比較的大きいので、支持構造７ｄの強度を大きくすることが容易である。
【００５３】
［第六実施形態］
図８に、本発明の別の実施形態に係る天井パネル１ｅを示す。図８の天井パネル１ｅは、図２の天井パネル１に替えて、図１の組立式防音室の天井を構成するために使用される。このため、図８の天井パネル１ｅについて、図２の天井パネル１と同じ構成要素には同じ符号を付して重複する説明を省略する。
【００５４】
当該天井パネル１ｅは、外縁部４ｅと主蓋部５ｅとを備える。外縁部４ｅは主開口６ｅを有し、主蓋部５ｅは主開口６ｅを封止するよう部分的に主開口６ｅに上方から嵌め込まれる。また、天井パネル１ｅは、主開口６ｅと主蓋部５ｅとの嵌め込み部分に主蓋部５ｅの落下を防止する支持構造７ｅを有する。
【００５５】
＜支持構造＞
本実施形態の支持構造７ｅは、外縁部４ｅの主開口６ｅの周縁部１６と、この周縁部１６の上面に載置される主蓋部５ｅの外縁部１７と、主蓋部５ｅの下面に突設され、主開口６ｅに嵌め込まれることによって周縁部１６と外縁部１７との位置ずれを防止する凸部１８とを有する。つまり、本実施形態の主蓋部５ｅは、凸部１８だけが主開口６ｅに嵌め込まれる。
【００５６】
凸部１８は、主開口６ｅの内周面に沿って存在する枠状であってもよく、主開口６ｅの対向する２辺に沿って存在する２本の細長い形状であってもよく、主開口６ｅの内周面に当接する複数の柱状乃至ブロック状であってもよい。
【００５７】
〔利点〕
当該天井パネル１ｅは、外縁部４ｅ及び主蓋部５ｅがフランジ部のように厚さが小さい部分を有しないので、支持構造７の強度をより向上することができる。
【００５８】
［第七実施形態］
図９に、本発明の別の実施形態に係る天井パネル１ｆを示す。図９の天井パネル１ｆは、図２の天井パネル１に替えて、図１の組立式防音室の天井を構成するために使用される。このため、図９の天井パネル１ｆについて、図２の天井パネル１と同じ構成要素には同じ符号を付して重複する説明を省略する。
【００５９】
当該天井パネル１ｆは、外縁部４ｆと主蓋部５ｆとを備える。外縁部４ｆは主開口６ｆを有し、主蓋部５ｆは主開口６ｆを封止するよう主開口６ｆに上方から嵌め込まれる。また、天井パネル１ｆは、主開口６ｆと主蓋部５ｆとの嵌め込み部分に主蓋部５ｆの落下を防止する支持構造７ｆを有する。
【００６０】
＜支持構造＞
本実施形態の支持構造７ｆは、外縁部４ｆと主蓋部５ｆとの間に介在して、主蓋部５ｆを支持する支持部材１９を有する。
【００６１】
（支持部材）
支持部材１９は、外縁部４ｆの主開口６ｆの周縁部の上面に載置される載置部２０と、主蓋部５ｆの周縁部を下側から支持する支持部２１と、主開口６ｆの内周面と主蓋部５ｆの外周面との間に配置され、載置部２０と支持部２１とを接続する接続部２２とを備えるものとすることができる。
【００６２】
支持部材１９は、主開口６ｆの内周面に沿って存在する枠状の部材であってもよく、主開口６ｆの対向する２辺に沿って存在する２本の細長い部材であってもよく、主開口６ｆの周縁に沿って間隔を空けて配設される３以上の部材であってもよい。
【００６３】
支持部材１９の材質としては、剛性を有するものであればよいが、例えば鉄、ステンレス鋼等を好適に用いることができる。
【００６４】
支持部材１９は、外縁部４ｆと主蓋部５ｆとの間に挟み込むようにして配置してもよいが、外縁部４ｆ又は主蓋部５ｆに予め固定されてもよい。
【００６５】
〔利点〕
当該天井パネル１ｆは、支持構造７ｆとして支持部材１９を使用するため、外縁部４ｆ及び主蓋部５ｆの形状が簡素であり、製造が比較的容易である。
【００６６】
［第八実施形態］
図１０に、本発明の別の実施形態に係る天井パネル１ｇを示す。図１０の天井パネル１ｇは、図２の天井パネル１に替えて、図１の組立式防音室の天井を構成するために使用される。このため、図１０の天井パネル１ｇについて、図２の天井パネル１と同じ構成要素には同じ符号を付して重複する説明を省略する。
【００６７】
当該天井パネル１ｇは、外縁部４ｇと主蓋部５ｇとを備える。外縁部４ｇは主開口６ｇを有し、主蓋部５ｇは主開口６ｇを封止するよう主開口６ｇに上方から嵌め込まれる。また、天井パネル１ｇは、主開口６ｇと主蓋部５ｇとの嵌め込み部分に主蓋部５ｇの落下を防止する支持構造７ｇを有する。図１０の天井パネル１ｇにおける支持構造７ｇの構成は、図２の天井パネル１における支持構造７の構成と同様とすることができる。
【００６８】
本実施形態の主蓋部５ｇは、平面視で内方に配設される副開口２３と、この副開口２３を封止するよう、副開口２３に上方から嵌め込まれる副蓋部２４とを有する。この副開口２３と副蓋部２４との嵌め込み部分には、副蓋部２４の落下を防止する支持構造２５を有する。この主蓋部５ｇの支持構造２５の構成は、主蓋部５ｇを支持する支持構造７ｇの構成と同様とすることができる。
【００６９】
〔利点〕
当該天井パネル１ｇは、主蓋部５ｇをさらに副蓋部２４を有し、複数に分割できる構成としたので、各構成要素の重量をさらに小さくすることができる。このため、当該天井パネル１ｇは、取り付け作業が比較的容易である。
【００７０】
［その他の実施形態］
前記実施形態は、本発明の構成を限定するものではない。従って、前記実施形態は、本明細書の記載及び技術常識に基づいて前記実施形態各部の構成要素の省略、置換又は追加が可能であり、それらは全て本発明の範囲に属するものと解釈されるべきである。
【００７１】
例として、各実施形態の主開口及び主蓋部の平面形状、支持構造の構成、当該天井パネルの層構造等は、任意に組み合わせることができる。
【００７２】
また、当該天井パネルにおいて、副蓋部の有無、平面形状及び支持構造も任意であり、副蓋部にさらなる副蓋部を設けてもよい。
【００７３】
副蓋部を支持する支持構造も、主蓋部を支持する支持構造と同様に任意の構成とすることができる。
【００７４】
また、当該天井パネルの支持構造におけるパッキンの有無も任意である。
【００７５】
また、当該天井パネルは、当該組立式防音室以外の部屋の天井を構成するために使用することもできる。
【００７６】
当該天井パネルは、遮音性を有しないものであってもよい。
【００７７】
当該組立式防音室は、床パネルを有しないものであってもよい。この場合、当該組立式防音室は、既存の地面や建物の床を防音室の床として組み立てられる。
【００７８】
また、当該天井パネルは、１つの主開口又は副開口を複数の主蓋部又は副蓋部で封止するようにしてもよい。この場合、主蓋部間又は副蓋部間に、主蓋部又は副蓋部の落下を防止する支持構造と同様の支持構造を設けて１の主蓋部又は副蓋部が隣接する主蓋部又は副蓋部を支持するようにしてもよい。さらに、この主蓋部間又は副蓋部間の支持構造がパッキンを有してもよい。
【産業上の利用可能性】
【００７９】
当該天井パネル及び組立式防音室は、比較的小さい組立式防音室に特に好適に利用される。
【符号の説明】
【００８０】
１，１ａ，１ｂ，１ｃ，１ｄ，１ｅ，１ｆ，１ｇ  天井パネル
２  壁パネル
３  床パネル
４，４ａ，４ｂ，４ｃ，４ｄ，４ｅ，４ｆ，４ｇ  外縁部
５，５ａ，５ｂ，５ｃ，５ｄ，５ｅ，５ｆ，５ｇ  主蓋部
６，６ａ，６ｂ，６ｃ，６ｄ，６ｅ，６ｆ，６ｇ  主開口
７，７ａ，７ｂ，７ｃ，７ｄ，７ｅ，７ｆ，７ｇ  支持構造
８  骨材
９  面板
１０  吸音材
１１，１１ａ，１１ｂ，１１ｄ  支持フランジ部
１２，１２ａ，１２ｂ，１２ｄ  載置フランジ部
１３  パッキン
１４  支持テーパ面
１５  対合テーパ面
１６  周縁部
１７  外縁部
１８  凸部
１９  支持部材
２０  載置部
２１  支持部
２２  接続部
２３  副開口
２４  副蓋部
２５  支持構造
【図１】
0006780295.tif 000002
【図２】
0006780295.tif 000003
【図３】
0006780295.tif 000004
【図４】
0006780295.tif 000005
【図５】
0006780295.tif 000006
【図６】
0006780295.tif 000007
【図７】
0006780295.tif 000008
【図８】
0006780295.tif 000009
【図９】
0006780295.tif 000010
【図１０】
0006780295.tif 000011